(57)【要約】      （修正有）【課題】部品の数を減らし、着脱作業を迅速に行うことができるソーラーパネルモジュールの固定部材を提供する。【解決手段】ソーラーパネルモジュールはフレーム３０および支持形鋼４０を備える。固定部材は固定片６０、第一固定ユニットおよび第二固定ユニットから構成される。固定片６０の下方固定部６３はソーラーパネルモジュールのフレーム３０の底板部３２および支持形鋼４０の頂部翼板４１の間に配置される。固定片６０の当接部６７はソーラーパネルモジュールのフレーム３０の側板部３１にする。固定片６０の下方固定部６３およびソーラーパネルモジュールのフレーム３０の底板部３２は第一固定ユニットによってまとめられて固定される。固定片６０の上方固定部６１および支持形鋼４０の頂部翼板４１は第二固定ユニットによってまとめられて固定される。【選択図】図２
0003214137.tif 000002
【実用新案登録請求の範囲】
【請求項１】
フレームおよび支持形鋼を備えるソーラーパネルモジュールに用いられ、固定片、第一固定ユニットおよび第二固定ユニットから構成されるソーラーパネルモジュールの固定部材であって、
前記フレームは、側板部と、前記側板部に垂直に連結される底板部とを有し、
前記支持形鋼は、頂部翼板を有し、
前記固定片は、上方固定部、下方固定部、直立部および当接部を有し、前記上方固定部と前記下方固定部とは相互に平行であり、前記下方固定部は前記フレームの前記底板部および前記支持形鋼の前記頂部翼板の間に配置され、前記直立部は前記上方固定部および前記下方固定部の外側辺縁部に連結され、前記当接部は前記上方固定部の内側辺縁部に連結されることで前記フレームの前記側板部の外側面に当接し、
前記第一固定ユニットは、前記フレームの前記底板部および前記固定片の前記下方固定部を固定するものであり、
前記第二固定ユニットは、前記支持形鋼の前記頂部翼板および前記固定片の前記上方固定部を固定するものであることを特徴とするソーラーパネルモジュールの固定部材。
【請求項２】
前記フレームは前記底板部に第一長形孔を有し、
前記固定片は前記下方固定部に第三長形孔を有し、
前記第一固定ユニットは第一ボルトおよび第一ナットを有し、前記第一ボルトは前記第一長形孔および前記第三長形孔に差し込まれ、前記第一ナットは前記第一ボルトに締め付けられることを特徴とする請求項１に記載のソーラーパネルモジュールの固定部材。
【請求項３】
前記第一長形孔の長軸方向は前記第三長形孔の長軸方向に垂直であることを特徴とする請求項２に記載のソーラーパネルモジュールの固定部材。
【請求項４】
前記支持形鋼は前記頂部翼板に第二長形孔を有し、
前記固定片は前記下方固定部に第四長形孔を有し、前記上方固定部に固定孔を有し、
前記第二固定ユニットは第二ボルトおよび第二ナットを有し、前記第二ボルトは前記第二長形孔、前記第四長形孔および前記固定孔に差し込まれ、前記第二ナットは前記第二ボルトに締め付けられることを特徴とする請求項１に記載のソーラーパネルモジュールの固定部材。
【請求項５】
前記第二長形孔の長軸方向は前記第四長形孔の長軸方向に垂直であることを特徴とする請求項４に記載のソーラーパネルモジュールの固定部材。
【請求項６】
前記フレームはさらに前記側板部に連結される頂板部を有し、
前記固定片はさらにアーム部を有し、前記アーム部は前記固定片の前記当接部に連結されることで前記フレームの前記頂板部の表面に当接することを特徴とする請求項１に記載のソーラーパネルモジュールの固定部材。
【請求項７】
前記固定片はさらに補強部を有し、前記補強部は前記固定片の前記下方固定部の内側辺縁部に垂直に連結されることを特徴とする請求項１に記載のソーラーパネルモジュールの固定部材。
【請求項８】
前記固定片において、前記上方固定部は幅が前記下方固定部より小さいことを特徴とする請求項１に記載のソーラーパネルモジュールの固定部材。
【考案の詳細な説明】
【技術分野】
【０００１】
本考案はソーラーパネルモジュールに関し、詳しくはソーラーパネルのフレームおよび支持形鋼を迅速かつ簡単にまとめて固定できるソーラーパネルモジュールの固定部材に関するものである。
【背景技術】
【０００２】
太陽光発電システムはソーラーパネルで吸収した太陽光を電気エネルギーに転換し、貯めて給電することが主な働きである。太陽光発電システムのソーラーパネルを設置するには大面積の空間が必要である。大面積の空間を確保するために現有の建築物の屋根を十分に利用することが一般的である。建築物の屋根にソーラーパネルを設置する際、複数のボルトなどの締付部材でソーラーパネルのフレームおよびそれを支える支持形鋼をまとめて固定する方式はよく採用されるが、この方式は部品が多過ぎ、着脱に手間が掛かるという問題がある。
【考案の概要】
【考案が解決しようとする課題】
【０００３】
本考案は、部品の数を減らし、着脱作業を迅速に行うことができるソーラーパネルモジュールの固定部材を提供することを主な目的とする。
【課題を解決するための手段】
【０００４】
上述した課題を解決するため、ソーラーパネルモジュールの固定部材は固定片、第一固定ユニットおよび第二固定ユニットから構成される。固定片は上方固定部、下方固定部、直立部および当接部を有する。上方固定部と下方固定部とは相互に平行する。直立部は上方固定部および下方固定部の外側辺縁部に連結される。当接部は上方固定部の内側辺縁部に連結される。取付作業を行う際、ソーラーパネルのフレームの底板部および支持形鋼の頂部翼板の間に固定片の下方固定部を位置させ、固定片の当接部をソーラーパネルのフレームの側板部の外側面に当接させ、続いて第一固定ユニットによってラーパネルのフレームの底板部および固定片の下方固定部をまとめて固定し、第二固定ユニットによって支持形鋼の頂部翼板および固定片の上方固定部をまとめて固定すると、ソーラーパネルのフレームと支持形鋼の組み合わせおよび固定作業が完了する。
【０００５】
比較的好ましい場合、ソーラーパネルのフレームは底板部に第一長形孔を有する。固定片は下方固定部に第三長形孔を有する。第一固定ユニットは第一ボルトおよび第一ナットを有する。第一長形孔および第三長形孔に第一ボルトを差し込み、第一ボルトに第一ナットを締め付けると、ソーラーパネルのフレームおよび固定片の組み合わせが完了する。
【０００６】
比較的好ましい場合、支持形鋼は頂部翼板に第二長形孔を有する。固定片は下方固定部に第四長形孔を有し、上方固定部に固定孔を有する。第二固定ユニットは第二ボルトおよび第二ナットを有する。第二長形孔、第四長形孔および固定孔に第二ボルトを差し込み、第二ボルトに第二ナットを締め付けると、支持形鋼および固定片の組み合わせが完了する。
【０００７】
比較的好ましい場合、ソーラーパネルのフレームはさらに側板部に連結される頂板部を有する。固定片はさらにアーム部を有する。アーム部は固定片の当接部に垂直に連結され、フレームの頂板部の表面に当接する。上述した構造により、組み合わせが完了したソーラーパネルのフレームの構造の安定度を増大させることができる。
【０００８】
比較的好ましい場合、固定片はさらに補強部を有する。補強部は固定片の下方固定部の内側辺縁部に垂直に連結されることで下方固定部の構造強度を増大させる。
【図面の簡単な説明】
【０００９】
【図１】本考案の一実施形態による固定部材でソーラーパネルのフレームおよび支持形鋼を結合させた状態を示す斜視図である。
【図２】本考案の一実施形態による固定部材でソーラーパネルのフレームおよび支持形鋼を結合させた状態の一部分を示す分解斜視図である。
【図３】本考案の一実施形態による固定部材でソーラーパネルのフレームおよび支持形鋼を結合させた状態を示す断面図である。
【００１０】
以下、本考案によるソーラーパネルモジュールの固定部材を図面に基づいて説明する。なお、本明細書において、上下、内外、頂部、底部などの方向性のある用語は通常に作業する際の向きを表示するための説明に過ぎないため、本考案の請求範囲を限定できない。
【００１１】
（一実施形態）
図1に示すように、ソーラーパネルモジュール１０は複数のソーラーパネル２０、二つのフレーム３０および三つの支持形鋼４０を備える。すべてのソーラーパネル２０は外側がフレーム３０に密接するように装着される。三つの支持形鋼４０は二つの隣り合うフレーム３０の左側、中央および右側の三つの部位に相互に平行して配置されることで支持効果を生じる。図２に示すように、フレーム３０は側板部３１と、側板部３１に垂直に連結される底板部３２と、側板部３１に垂直に連結される頂板部３４とを有する。底板部３２は前後両端かつ左右両側に相対する第一長形孔３３を別々に有する。Ｃ字型鋼を支持形鋼４０として使用する場合、支持形鋼４０は頂部翼板４１、底部翼板４３およびそれらを連結する腹板４４を有する。頂部翼板４１は前後両端に第二長形孔４２を別々有する。第二長形孔４２は長さが第一長形孔３３より大きい。第二長形孔４２の長軸方向は第一長形孔３３の長軸方向に平行である。
【００１２】
図２に示すように、本考案の一実施形態によるソーラーパネルモジュールの固定部材５０は、固定片６０、第一固定ユニット７０および第二固定ユニット８０から構成される。
【００１３】
固定片６０は、金属材料（例えばステンレス）で一体成型され、上方固定部６１、下方固定部６３、直立部６６および当接部６７を有する。６１上方固定部と下方固定部６３とは相互に平行する。上方固定部６１は円形の固定孔６２を有し、幅が下方固定部６３より小さい。下方固定部６３は内側辺縁部に近い第三長形孔６４および外側辺縁部に近い第四長形孔６５を有する。第三長形孔６４の長軸方向は第四長形孔６５の長軸方向に平行である。直立部６６は上方固定部６１および下方固定部６３の外側辺縁部に連結される。当接部６７は上方固定部６１の内側辺縁部に連結される。固定片６０はさらに補強部６８およびアーム部６９を有する。補強部６８は下方固定部６３の内側辺縁部に垂直に連結されることで下方固定部６３の構造強度を増大させる。アーム部６９は当接部６７の頂部に垂直に連結される。
【００１４】
第一固定ユニット７０は、第一ボルト７１、第一矩形ワッシャー７２、第一円形ワッシャー７３および第一ナット７４を有する。図２に示すように取付作業を行う際、第一ボルト７１は上方の第一矩形ワッシャー７２をはじめ、フレーム３０の底板部３２の第一長形孔３３、固定片６０の下方固定部６３の第三長形孔６４および第一円形ワッシャー７３に順に差し込まれ、第一ナット７４によって締め付けられる。このとき、フレーム３０の底板部３２と固定片６０とはまとめられて固定される。取付作業が完了すると、図3に示すように、固定片６０の下方固定部６３は頂面によってフレーム３０の底板部３２の底面を支える。固定片６０の当接部６７は内側面によってフレーム３０の側板部３１の外側面に当接する。固定片６０のアーム部６９は底面によってフレーム３０の頂板部３４の表面に当接する。
【００１５】
第二固定ユニット８０は、第二ボルト８１、第二矩形ワッシャー８２、第二円形ワッシャー８３および第二ナット８４を有する。図２に示すように取付作業を行う際、第二ボルト８１は下方の第二矩形ワッシャー８２をはじめ、支持形鋼４０の頂部翼板４１の第二長形孔４２、固定片６０の下方固定部６３の第四長形孔６５、固定片６０の上方固定部６１の固定孔６２および第二円形ワッシャー８３に順に差し込まれ、第二ナット８４によって締め付けられる。このとき、支持形鋼４０の頂部翼板４１と固定片６０とはまとめられて固定される。取付作業が完了すると、図3に示すように、支持形鋼４０の頂部翼板４１は頂面によって固定片６０の下方固定部６３の底面に当接する。
【００１６】
上述したとおり、本考案において、固定片６０は特殊構造（即ち当接部６７およびアーム部６９）によって取付作業が完了したフレーム３０の構造の安定度を増大させる。フレーム３０、支持形鋼４０および固定片６０を組み合わせる際、第一長形孔３３、第二長形孔４２、第三長形孔６４および第四長形孔６５によって調整および位置決め作業を迅速に行い、第一固定ユニット７０および第二固定ユニット８０による締付作業の便をはかることができる。従って、従来の技術と比べて、本考案は部品の数を減らし、着脱作業を迅速に行う際の利便性を向上させることができる。
【符号の説明】
【００１７】
１０：ソーラーパネルモジュール、  
２０：ソーラーパネル、  
３０：フレーム、  
３１：側板部、  
３２：底板部、  
３３：第一長形孔、  
３４：頂板部、  
４０：支持形鋼、  
４１：頂部翼板、  
４２：第二長形孔、  
４３：底部翼板、  
４４：腹板、  
５０：固定部材、  
６０：固定片、  
６１：上方固定部、  
６２：固定孔、  
６３：下方固定部、  
６４：第三長形孔、  
６５：第四長形孔、  
６６：直立部、  
６７：当接部、  
６８：補強部、  
６９：アーム部、  
７０：第一固定ユニット、  
７１：第一ボルト、  
７２：第一矩形ワッシャー、  
７３：第一円形ワッシャー、  
７４：第一ナット、  
８０：第二固定ユニット、  
８１：第二ボルト、  
８２：第二矩形ワッシャー、  
８３：第二円形ワッシャー、
８４：第二ナット、
【図１】
0003214137.tif 000003
【図２】
0003214137.tif 000004
【図３】
0003214137.tif 000005